(57)【要約】【課題】回転部の位置を調節可能とする。【解決手段】回転機構は、ベース部３６に着脱可能に設置された軸部３８と、軸部３８に対して着脱可能に配置された取付部４０と、取付部４０に対して着脱可能に設置されて、索状物１８を巻き掛け可能な回転部４２とを備えている。また、回転機構は、ベース部３６と取付部４０との間に挟んだ状態で軸部３８に対して着脱可能に設置され、ベース部３６からの取付部４０の間隔を規定するカラー４４と、軸部３８に対して着脱可能に設置され、取付部４０および取付部４０に設置した回転部４２を軸部３８から抜け止めする規制部４６とを備えている。【選択図】図３
2018123917.tif 000002
【特許請求の範囲】
【請求項１】
ベース部に設置された軸部と、
前記軸部を通した状態で該軸部に対して着脱可能に配置された取付部と、
前記取付部に対して着脱可能に設置されると共に、前記軸部を中心として回転可能に構成され、索状物を巻き掛け可能な回転部と、
前記軸部を通すと共に前記ベース部と前記取付部との間に挟んだ状態で該軸部に対して着脱可能に設置され、該ベース部からの該取付部の間隔を規定するカラーと、
前記軸部における前記ベース部と反対側に、該軸部に対して着脱可能に設置され、前記取付部および該取付部に設置した前記回転部を該軸部から抜け止めする規制部とを備えている
ことを特徴とする回転機構。
【請求項２】
前記カラーは、両端が開口した筒状体であり、
前記カラーは、前記軸部を筒の内側に通した状態で前記ベース部と前記取付部との間に配置されている請求項１記載の回転機構。
【請求項３】
前記軸部および前記規制部は、該軸部に対する該規制部の固定位置を該軸部の軸方向に変更可能に構成され、
前記規制部によって締め付けて、前記取付部および前記カラーを、前記ベース部と該規制部との間に挟んでいる請求項１または２記載の回転機構。
【請求項４】
前記軸部は、前記ベース部に設けられたねじ孔に締結可能なねじ部を備え、
前記軸部は、前記ねじ部を前記ねじ孔に締結して、前記ベース部に着脱可能に設置されている請求項１〜３の何れか一項に記載の回転機構。
【請求項５】
前記取付部は、自身を貫通するように形成された軸孔に、前記軸部を通して配置され、
前記取付部は、
前記カラーに当たって、前記ベース部との間に該カラーを挟む受部と、
前記受部より延出するように設けられ、前記カラーに引っ掛かって前記回転部の回転軸と交差する方向への該カラーの移動を規制する係合部とを有している請求項１〜４の何れか一項に記載の回転機構。
【発明の詳細な説明】
【技術分野】
【０００１】
この発明は、索状物が巻き掛けられる回転機構に関するものである。
【背景技術】
【０００２】
例えば、特許文献１に示すように、スリッターにより広幅の原反シートを設定した狭幅に切断して多数の切断シートとし、この多数の切断シートを複数本の巻取軸に巻き取る際に、原反シートの両端部に残るシート耳を巻き取って処理する場合などに使用される巻き取り装置がある。巻き取り装置は、モータ等の駆動源により回転する駆動軸と、シートの巻き取り軸に繋がる連結軸との間に、ベルトを巻き掛け、ベルトによって巻き取り軸を回転させて、切断シートやシート耳などを巻き取るように構成されている。このような巻き取り装置には、駆動軸と連結軸との間に設けたテンショナーのプーリにもベルトを巻き掛け、テンショナーのプーリによってベルトに所定のテンションをかけることで、ベルトが緩まないようにしている。
【０００３】
例えば、図８に示すように、テンショナー１００は、板状の金属ベース部材１０２に対して、金属製の軸１０４を溶接によって取り付け、ベアリング１０６を有するプーリ１０８を軸１０４に嵌め合わせている。ここで、中実構造の軸１０４には、段部１０４ａが設けられており、この段部１０４ａにプーリ１０８が支持されて、プーリ１０８と金属ベース部材１０２との間が所定間隔になるように規定される。そして、軸１０４に設けたねじ孔１０４ｂにボルト１１０をねじ込むことで、プーリ１０８を軸１０４から外れないように保持している。
【先行技術文献】
【特許文献】
【０００４】
【特許文献１】特開平６−１４４７１２号公報
【発明の概要】
【発明が解決しようとする課題】
【０００５】
前述したテンショナー１００は、機種などに応じて設計変更されるプーリ１０８の位置に合わせて、異なる長さや段部１０４ａの位置を変えた軸１０４を用意しなくてはならず、汎用性に欠けるという難点がある。また、テンショナー１００全体を交換する以外に、プーリ１０８の位置を変えることができないので、テンショナー１００を巻き取り装置の設置場所で簡単に調整することはできない。
【０００６】
すなわち本発明は、従来の技術に係る前記問題に鑑み、これらを好適に解決するべく提案されたものであって、回転部の位置を調整可能な回転機構を提供することを目的とする。
【課題を解決するための手段】
【０００７】
前記課題を克服し、所期の目的を達成するため、本願の請求項１に係る発明の回転機構は、
ベース部に設置された軸部と、
前記軸部を通した状態で該軸部に対して着脱可能に配置された取付部と、
前記取付部に対して着脱可能に設置されると共に、前記軸部を中心として回転可能に構成され、索状物を巻き掛け可能な回転部と、
前記軸部を通すと共に前記ベース部と前記取付部との間に挟んだ状態で該軸部に対して着脱可能に設置され、該ベース部からの該取付部の間隔を規定するカラーと、
前記軸部における前記ベース部と反対側に、該軸部に対して着脱可能に設置され、前記取付部および該取付部に設置した前記回転部を該軸部から抜け止めする規制部とを備えていることを要旨とする。
請求項１に係る発明によれば、カラーを変えることで、ベース部からの回転部の間隔を簡単に変えることができ、多様な仕様に対応することができる。また、規制部、回転部、取付部およびカラーが、軸部から取り外すことができるので、カラーを取り替えて、回転部の位置を現場で調整することができる。
【０００８】
請求項２に係る発明では、前記カラーは、両端が開口した筒状体であり、
前記カラーは、前記軸部を筒の内側に通した状態で前記ベース部と前記取付部との間に配置されていることを要旨とする。
請求項２に係る発明によれば、筒状体からなるカラーを用いているので、軽量にすることができる。また、軸部が比較的細くても、カラーによって回転部を支持する軸としての剛性を確保できる。
【０００９】
請求項３に係る発明では、前記軸部および前記規制部は、該軸部に対する該規制部の固定位置を該軸部の軸方向に変更可能に構成され、
前記規制部によって締め付けて、前記取付部および前記カラーを、前記ベース部と該規制部との間に挟んでいることを要旨とする。
請求項３に係る発明によれば、規制部の締め付けによって、取付部およびカラーをベース部と規制部との間に挟んでいるので、取付部およびカラーをガタツキなく連係させて、回転部を支持する軸としての剛性を確保できる。
【００１０】
請求項４に係る発明では、前記軸部は、前記ベース部に設けられたねじ孔に締結可能なねじ部を備え、
前記軸部は、前記ねじ部を前記ねじ孔に締結して、前記ベース部に着脱可能に設置されていることを要旨とする。
請求項４に係る発明によれば、ねじ締結によって、軸部をベース部に簡単に着脱することができる。
【００１１】
請求項５に係る発明では、前記取付部は、自身を貫通するように形成された軸孔に、前記軸部を通して配置され、
前記取付部は、
前記カラーに当たって、前記ベース部との間に該カラーを挟む受部と、
前記受部より延出するように設けられ、前記カラーに引っ掛かって前記回転部の回転軸と交差する方向への該カラーの移動を規制する係合部とを有していることを要旨とする。
請求項５に係る発明によれば、取付部の係合部がカラーに引っ掛かって軸部に対するカラーの移動を規制しているので、カラーの位置ずれを防止できる。
【発明の効果】
【００１２】
本発明に係る回転機構によれば、カラーを変えることで、回転部の位置を簡単に調整することができる。
【図面の簡単な説明】
【００１３】
【図１】本発明の好適な実施例に係るテンショナーが設けられた装置を示す概略図である。
【図２】実施例に係るテンショナーが設けられた装置を、図１と異なる向きから示す概略図である。
【図３】実施例のテンショナーを一部切り欠いて示す概略斜視図である。
【図４】実施例のテンショナーを分解して示す概略斜視図である。
【図５】実施例のテンショナーを一部切り欠いて示す正面図である。
【図６】実施例のテンショナーを一部切り欠いて示す側面図である。
【図７】変更例のテンショナーを示す説明図である。
【図８】(ａ)は従来のテンショナーを一部切り欠いて示す説明図であり、(ｂ)は(ａ)を分解した状態を示す。
【発明を実施するための形態】
【００１４】
次に、本発明に係る回転機構につき、好適な実施例を挙げて、添付図面を参照して以下に説明する。なお、実施例では、回転機構として、スリッターやリワインダーなどの巻き取り装置、その他の各種装置に適用可能なテンショナーを例示して説明する。
【実施例】
【００１５】
図１および図２に示すように、実施例に係るテンショナー(回転機構)３０が設けられた巻き取り装置などの装置１０は、駆動源であるモータ１２によって回転される駆動回転体１４と、図示しない巻き取り軸に繋がる連係回転体１６とを備えている。装置１０は、駆動回転体１４と連係回転体１６との間に、ベルトからなる索状物１８が巻き掛けられ、モータ１２によって回転される駆動回転体１４の回転が索状物１８によって連係回転体１６に伝達される。また、装置１０は、索状物１８を案内する案内回転体２０と、索状物１８にテンションをかけるテンショナー３０とを備えている。なお、連係回転体１６および案内回転体２０は、索状物１８の移動により従動する所謂プーリが用いられている。
【００１６】
図３、図５および図６に示すように、実施例に係るテンショナー３０は、索状物１８に連係する第１機構部３２と、第１機構部３２に対して所定向きに力を加えることができる第２機構部３４とを備えている。第１機構部３２は、装置１０のフレーム１１(図６)に取り付けられるベース部３６と、ベース部３６に着脱可能に設けられた軸部３８と、軸部３８に着脱可能に設けられた取付部４０とを備えている。また、第１機構部３２は、取付部４０に着脱可能で、かつ軸部３８を中心として回転可能に構成された回転部４２と、ベース部３６と取付部４０との間に配置されたカラー４４と、取付部４０および取付部４０に設置した回転部４２を抜け止めする規制部４６とを備えている。第１機構部３２は、ベース部３６、軸部３８、取付部４０、回転部４２、カラー４４および規制部４６を互いに組み付けたり、また組み付けた状態から分解したりすることが可能に構成されている。また、実施例の第１機構部３２は、ベース部３６、軸部３８、取付部４０、回転部４２、カラー４４および規制部４６として、何れも金属材料が用いられている。
【００１７】
図３〜図６に示すように、ベース部３６は、平板状の部材であり、実施例では長方形に形成されている。ベース部３６は、該ベース部３６の厚み方向に穿孔されたねじ孔４８と、該ベース部３６の厚み方向に貫通するように形成された固定孔５０とを備えている。実施例のねじ孔４８は、ベース部３６を厚み方向に貫通するように形成されて、ベース部３６の短手方向中央部に、長手方向の一側部に偏倚して設けられている。実施例のベース部３６には、ねじ孔４８をベース部３６の短手方向に挟んで対称な位置関係で、２つの固定孔５０,５０が設けられている。実施例の固定孔５０は、ベース部３６の長手方向に長手が沿う長孔形状に形成されて、長手方向の他側部に偏倚して設けられている。ベース部３６は、固定孔５０に通した固定ボルト５２を、装置１０のフレーム１１に設けられた図示しない固定ねじ孔にねじ込んでフレーム１１に固定される。ベース部３６は、固定ボルト５２を通す位置を固定孔５０の長手方向に変えることが可能であり、例えば固定ボルト５２を緩めて固定孔５０の長手方向へ動かしてフレーム１１に対する固定位置を調節することができる。
【００１８】
図３および図４に示すように、軸部３８は、ベース部３６に対して着脱可能な棒状体である。実施例では、ベース部３６と軸部３８との着脱可能な取り付け構造として、ねじによる締結が用いられている。具体的には、軸部３８は、ベース部３６に設けられたねじ孔４８に締結可能なねじ部５４を備えている。軸部３８は、ねじ部５４をねじ孔４８にねじ込んで、ベース部３６に対して立てた姿勢で設置される。実施例の軸部３８は、該軸部３８の周面に全長に亘ってねじが形成された寸切りボルトや長ねじや全ねじなどと呼ばれている頭部の無いねじが用いられている。
【００１９】
図３、図４および図６に示すように、取付部４０は、軸部３８を自身に通した状態で該軸部３８に対して着脱可能に配置される。具体的には、取付部４０は、軸部３８が挿通可能な取付通孔５６が中心に設けられた円柱を基本とした形状であり、カラー４４に当たる受部５８と、受部５８よりもベース部３６側へ延出するように設けられた係合部６０とを備えている。取付通孔５６は、取付部４０の両端面に開口するように、取付部４０を貫通して形成されている。また、取付通孔５６は、軸部３８の外径と同じまたは軸部３８の外径よりもわずかに大きく形成されている。従って、取付部４０は、取付通孔５６に軸部３８を通して取り付けた際に、軸部３８の軸方向(回転部４２の回転軸)と交差する方向への移動が軸部３８によって規制される。
【００２０】
図３、図４および図６に示すように、受部５８は、取付部４０において回転部４２を支持する軸部分４０ａよりも半径方向外側(回転部４２の回転軸と交差する方向)へ延出するフランジ状に形成されている。受部５８は、ベース部３６側の面(特に区別する場合は受面５８ａという)が回転軸と直交するように延在する平面で形成されている。また、受部５８は、ベース部３６と反対側の面(特に区別する場合は支持面５８ｂという)が、半径方向内側から外側へ向かうにつれてベース部３６側へ傾く傾斜面で形成されている。受部５８は、受面５８ａがカラー４４に支持されると共に、後述する軸孔６２ａに軸部分４０ａを通して取り付けた回転部４２を支持面５８ｂで支持する。係合部６０は、受部５８の受面５８ａよりもベース部３６側へ突き出た柱状部分であり、外周形状および外径がカラー４４の内周形状および内径に合わせて形成されている。具体的には、係合部６０は、内周面が円形に形成されたカラー４４に合わせて円柱状に形成されて、受面５８ａがカラー４４に当たった状態でカラー４４の内側に嵌まり、カラー４４における回転軸と交差する方向への移動を規制する。
【００２１】
図３〜図６に示すように、回転部４２は、取付部４０に対して着脱可能に設置されると共に、軸部３８を中心として回転可能に構成されている。回転部４２は、ベアリング６２と、ベアリング６２の外側に回転可能に設けられ、索状物１８を外周に巻き掛け可能な円筒状の外環部６４とを備えている。ベアリング６２は、円筒形の内環部分の内側に、取付部４０の軸部分４０ａの外径に合わせて貫通するように形成された軸孔６２ａを有している。回転部４２は、軸孔６２ａに取付部４０の軸部分４０ａを通すと共に、ベアリング６２を支持面５８ｂに支持された状態で設置される。そして、回転部４２は、軸孔６２ａに取付部４０の軸部分４０ａを通して取り付けた際に、回転軸と交差する方向への移動が取付部４０によって規制される。
【００２２】
図３、図４および図６に示すように、カラー４４は、軸部３８を通すと共にベース部３６と取付部４０との間に挟んだ状態で、ベース部３６および軸部３８に対して着脱可能に設置されている。カラー４４としては、両端が開口した鋼管などの中空の筒状体を用いることができる。カラー４４は、軸部３８を筒の内側に通した状態でベース部３６と取付部４０との間に配置されて、一端がベース部３６に当たると共に他端が取付部４０の受面５８ａに当たり、ベース部３６からの取付部４０の間隔を規定する。カラー４４は、軸部３８の外径と比べて内径が大きく設定されて、軸部３８と内周面との間に隙間があいている。
【００２３】
図３〜図６に示すように、規制部４６は、軸部３８におけるベース部３６と反対側に、該軸部３８に対して着脱可能に設置され、取付部４０および該取付部４０に設置した回転部４２を該軸部３８から抜け止めするよう構成されている。軸部３８および規制部４６は、軸部３８に対する規制部４６の固定位置を該軸部３８の軸方向に変更可能に構成されている。具体的には、規制部４６は、軸部３８に設けられたねじ部５４に締結可能なナットが用いられ、ねじ部５４も締結した規制部４６によって締め付けて、取付部４０および回転部４２を、カラー４４と規制部４６との間に挟んでいる。
【００２４】
図３、図５および図６に示すように、第２機構部３４は、装置１０にねじ止め固定された保持部６６と、保持部６６に設けられた保持ねじ孔６６ａにねじ込まれた押圧ボルト６８とを備えている。第２機構部３４は、押圧ボルト６８を装置１０のフレーム１１と並行するように保持ねじ孔６６ａにねじ込み、押圧ボルト６８を回すことで押圧ボルト６８がベース部３６の固定孔５０の長手方向へ移動し、押圧ボルト６８の先端がベース部３６の側面に接したり、離れたりする。第２機構部３４は、回転部４２の回転軸と直交する方向から押圧ボルト６８によりベース部３６を押すように構成されている。実施例の第２機構部３４は、保持部６６および押圧ボルト６８として、何れも金属材料が用いられている。このように、テンショナー３０は、第１機構部３２が第２機構部３４によって押圧されることで、第１機構部３２の回転部４２に巻き掛けた索状物１８に所定のテンションを付与する。
【００２５】
前記テンショナー３０を組み付ける際は、ベース部３６のねじ孔４８に軸部３８のねじ部５４をねじ込んで、軸部３８をベース部３６に取り付け、軸部３８をカラー４４の筒内側に通してカラー４４を配置する。次に、取付部４０の軸部分４０ａを軸孔６２ａに通して回転部４２を取付部４０に設置し、軸部３８を取付通孔５６に通して、取付部４０を軸部３８に設置する。そして、取付部４０から突出する軸部３８に規制部４６を締結し、規制部４６により取付部４０および回転部４２を締め付けることで、ベース部３６と規制部４６との間にカラー４４および取付部４０が挟まれた状態で直列するように設置される。また、回転部４２は、規制部４６と取付部４０の支持面５８ｂとの間に挟まれた状態で設置される。テンショナー３０は、ベース部３６と取付部４０との間に挟まれて配置されるカラー４４の寸法によって、ベース部３６からの取付部４０の間隔が規定され、これに伴って取付部４０に設置される回転部４２についても、ベース部３６からの間隔が規定される。テンショナー３０を分解する際には、組み付けと逆の手順で行えばよく、規制部４６を軸部３８から取り外すことで、回転部４２、取付部４０およびカラー４４を簡単に取り外すことができる。
【００２６】
実施例のテンショナー３０によれば、カラー４４の寸法を変えることで、ベース部３６からの回転部４２の間隔を簡単に変えることができ、ベース部３６、軸部３８、取付部４０、回転部４２および規制部４６を変えることなく、多様な仕様に対応することができる。換言すると、ベース部３６、軸部３８、取付部４０、回転部４２および規制部４６を共通する部品としても、寸法が異なるカラー４４を組み付けることで、回転部４２の位置を変更することができる。しかも、カラー４４としては、筒状であれば足りるので、鋼管などの一般品を用いることができる。また、テンショナー３０は、規制部４６、回転部４２、取付部４０およびカラー４４が、軸部３８から取り外すことができるので、カラー４４を取り替えて、回転部４２の位置を現場において調整することができる。そして、軸部３８が取付部４０から突出する寸法に余裕を設けておくことで、変更できるカラー４４の寸法幅が広くなり、回転部４２の位置調整幅をより広く設定することができる。
【００２７】
前記テンショナー３０は、回転部４２の位置を規定するカラー４４として、両端が開口した中空の筒状体を用いることで、従来の中実構造の軸１０４と比べて、回転部４２を支持する軸構造を軽量化することができる。従って、テンショナー３０は、全体を軽量にすることができる。また、テンショナー３０は、ベース部３６と取付部４０との間にカラー４４を挟んでいるので、回転部４２から取付部４０を介して加わる荷重を、ベース部３６で支持されたもとでカラー４４の軸方向に受けることになる。このように、回転部４２からかかる荷重が軸部３８に加わらないので、軸部３８を細く設定することができ、テンショナー３０をより軽量にすることができる。そして、テンショナー３０は、カラー４４が軸方向に荷重を受けるので、軸部３８とカラー４４の内周面の間に隙間があっても、回転部４２を支持する軸構造全体として、従来の中実構造の軸１０４と同等以上の剛性を確保できる。
【００２８】
前記テンショナー３０は、ナットを用いた規制部４６を軸部３８のねじ部５４に締結する構成であり、規制部４６を回すことで、軸部３８に対する規制部４６の固定位置を簡単に変更することができる。また、テンショナー３０は、規制部４６による取付部４０および回転部４２の締め付け度合いを調節することができる。テンショナー３０は、規制部４６の締め付けによって、直列に並ぶ取付部４０およびカラー４４を、規制部４６とベース部３６との間で軸方向に力が加わった状態で挟み、取付部４０およびカラー４４をガタツキなく一体的な軸構造となるように連係させている。テンショナー３０は、取付部４０およびカラー４４が一体的な軸構造となるように連係しているので、回転部４２を支持する軸構造としての剛性が高く、索状物１８に対して好適なテンションを付与できる。テンショナー３０は、規制部４６の締め付けによって、取付部４０の支持面５８ｂとの間に軸方向に力が加わった状態で、回転部４２のベアリング６２を挟んでいるので、回転部４２をガタツキなく支持できる。
【００２９】
実施例のテンショナー３０は、ベース部３６に設けられたねじ孔４８に軸部３８のねじ部５４を締結して、軸部３８をベース部３６に着脱可能に設置しているので、ベース部３６に対する軸部３８の取り付けまたは取り外しが簡単である。従来のテンショナー１００のように、軸１０４を溶接によって金属ベース部材１０２に取り付ける構成であると、テンショナー１００の製造コストや製造時間が増加してしまう。これに対して、実施例のテンショナー３０は、各部３６,３８,４０,４２,４４,４６の組み付けに溶接を用いない機械的に着脱可能な組み付け構造であるから、製造コストを下げることができると共に製造にかかる時間を短縮することができる。
【００３０】
前記テンショナー３０は、軸部３８を通してカラー４４および取付部４０を設置した際に、取付部４０の係合部６０がカラー４４の内周面に嵌まり込む構成である。また、取付部４０は、取付通孔５６が軸部３８に合わせて形成されているので、軸部３８に対して位置決めされている。このため、係合部６０とカラー４４とが引っ掛かることで、軸部３８および取付部４０に対するカラー４４の位置が規定されると共に、カラー４４の回転軸と交差する方向の移動が規制される。テンショナー３０は、中空の筒状体であるカラー４４を用いて、軸部３８とカラー４４の内周面に隙間ができる構成であっても、カラー４４を所定位置に配置して、回転部４２を支持する軸構造として、バランスよく荷重を受けることができる。
【００３１】
(変更例)
前述した構成に限定されず、例えば以下のようにも変更することができる。
【００３２】
(１)実施例では、装置１０のフレーム１１にベース部３６を直接設置する構成であるが、これに限らず、例えば図７に示すように、ベース部３６を、支持手段７２を介してフレーム１１に間接的に設置する構成であってもよい。図７に示す変更例のテンショナー７０は、ベース部３６とフレーム１１との間隔を規定する筒状部７４と、この筒状部７４の筒内側を通してフレーム１１にねじ締結等により取り付けられた支持軸部７６とを有する２箇所の支持手段７２で取り付けられている。変更例のテンショナー７０は、ベース部３６を通した支持軸部７６にナット７８を締結し、筒状部７４でベース部３６が支持されて、フレーム１１から離した状態で設置される。なお、図７に示す変更例のテンショナー７０において、実施例と同様の構成には、実施例と同じ符号を付して詳細な説明を省略する。
【００３３】
(２)実施例ではテンショナーを説明したが、これに限らず、索状物に積極的にテンションをかけることを目的としないプーリやその他の回転機構に、本発明を適用してもよい。例えば、第２機構部３４を備えていない第１機構部３２のみからなる回転機構であってもよい。
(３)回転部に巻き掛ける索状物としては、ベルトに限らず、ロープ、ケーブル、あるいは鎖などの柔軟性を有するものであってもよい。
(４)実施例ではねじ締結により軸部をベース部に着脱可能に設置したが、これに限らず、軸部とベース部との凹凸などを用いた嵌合構造等、その他の組み付け構造であってもよい。また、着脱を考慮しないのであれば、軸部とベース部とを溶接その他の分離不能な取り付け構造としてもよい。
(５)実施例では、規制部による取付部および回転部の抜け止め構造として、ナットを用いたが、これに限らず、軸部に設けた溝にＥリング等のクリップ状の締結具を嵌め込んで抜け止めする構成など、その他の構成を採用してもよい。例えば、規制部として締結具を用いる場合、軸部に軸方向に離して溝を複数箇所設けておくことで、規制部の固定位置を軸部の軸方向に調整できる。なお、規制部としてナットを用いる場合は、緩み止め機構を有するものであってもよい。
【符号の説明】
【００３４】
１８ 索状物，３６ ベース部，３８ 軸部，４０ 取付部，４２ 回転部，
４４ カラー，４６ 規制部，４８ ねじ孔，５４ ねじ部，５８ 受部，６０ 係合部，
６２ａ 軸孔
【図１】
2018123917.tif 000003
【図２】
2018123917.tif 000004
【図３】
2018123917.tif 000005
【図４】
2018123917.tif 000006
【図５】
2018123917.tif 000007
【図６】
2018123917.tif 000008
【図７】
2018123917.tif 000009
【図８】
2018123917.tif 000010